【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
画像形成装置の装置本体に装着可能なカートリッジであって、
現像ローラと、
前記現像ローラを支持する枠体と、
前記枠体に対して移動可能に支持され、前記枠体に対して第１位置と第２位置とへ移動する可動部と、
前記枠体と前記可動部の間に設けられ、前記可動部を付勢する弾性部と、
を有し、
前記可動部は、前記第１位置から前記第２位置へ移動する方向の力を前記装置本体から受ける第１力受け部と、前記第２位置から前記第１位置へ移動する方向の力を前記装置本体から受ける第２力受け部を備え、
前記可動部が前記装置本体から前記第１力受け部で力を受けて前記第２位置にある時、前記可動部は、前記可動部を前記第２位置から前記第１位置へ移動させる方向の付勢力を前記弾性部から受けることを特徴とするカートリッジ。
【請求項２】
前記枠体は前記第１位置にある前記可動部に当接する規制部を有することを特徴とする請求項１に記載のカートリッジ。
【請求項３】
前記可動部が前記第１力受け部で力を受けていない時、前記可動部は、前記弾性部から付勢力を受けて前記第１位置で前記規制部に突き当たることを特徴とする請求項２に記載のカートリッジ。
【請求項４】
前記現像ローラを回転するための回転力が入力される駆動入力部材を有し、
前記現像ローラの回転軸線方向から見た時、前記現像ローラの回転中心と前記駆動入力部材の回転中心とを結ぶ直線に平行な第１方向に関して、前記現像ローラは前記枠体の一端側に配置され、前記可動部の前記第１力受け部が前記枠体の他端側に配置されていることを特徴とする請求項１乃至３のいずれか一項に記載のカートリッジ。
【請求項５】
前記枠体は、前記装置本体の内部を搬送される記録媒体に当接可能な記録媒体当接部を備え、前記現像ローラの回転軸線方向から見て、前記第１方向に関して、前記記録媒体当接部は、前記可動部の前記第１力受け部よりも前記現像ローラの近くに配置されていることを特徴とする請求項４に記載のカートリッジ。
【請求項６】
前記可動部は前記枠体に対して回動可能に支持された被支持部を備えることを特徴とする請求項１乃至５のいずれか一項に記載のカートリッジ。
【請求項７】
前記現像ローラの回転軸線方向から見て、前記被支持部と前記可動部の前記弾性部からの付勢力を受ける部分との間の距離は、前記被支持部と前記第１力受け部との間の距離より短いことを特徴とする請求項６に記載のカートリッジ。
【請求項８】
前記枠体は現像剤を収容する現像剤収容部を有し、
前記現像ローラの回転軸線方向から見て、前記可動部の回転中心は前記現像剤収容部と重なる位置に配置されていることを特徴とする請求項６又は７に記載のカートリッジ。
【請求項９】
前記装置本体と電気的に接続される電極部を有し、
前記電極部の表面は、前記カートリッジから露出し、前記可動部が前記第１位置から前記第２位置へ移動する際に前記可動部の前記第１力受け部が移動する移動方向と交差することを特徴とする請求項１乃至８のいずれか一項に記載のカートリッジ。
【請求項１０】
前記枠体に対して前記可動部とは独立して移動可能に支持された別の可動部と、
前記枠体と前記別の可動部の間に設けられ、前記別の可動部を付勢する別の弾性部と、を有することを特徴とする請求項１乃至９のいずれか一項に記載のカートリッジ。
【請求項１１】
前記現像ローラを回転するための回転力が入力される駆動入力部材を有し、
前記現像ローラの回転軸線方向に関して、前記枠体の前記駆動入力部材が配置されている側に前記可動部が支持され、前記枠体の前記駆動入力部材が配置されていない側に前記別の可動部が支持され、前記弾性部の付勢力は前記別の弾性部の付勢力よりも小さいことを特徴とする請求項１０に記載のカートリッジ。
【請求項１２】
前記可動部は前記枠体よりも突出した第１突出部を備え、前記別の可動部は前記枠体よりも突出した第２突出部を備えることを特徴とする請求項１０又は１１に記載のカートリッジ。
【請求項１３】
前記現像ローラの回転軸線方向に沿って一端側から見ると、前記第１突出部は前記枠体から露出し、前記現像ローラの回転軸線方向に沿って他端側から見ると、前記第２突出部は前記枠体から露出することを特徴とする請求項１２に記載のカートリッジ。
【請求項１４】
前記可動部は前記回転軸線方向と直交する平面上を移動し、前記別の可動部は前記回転軸線方向と直交する別の平面上を移動することを特徴とする請求項１０乃至１３のいずれか一項に記載のカートリッジ。
【請求項１５】
前記可動部は、前記枠体よりも突出した突出部を備え、前記突出部は、前記現像ローラの側に屈曲した部分を備え、前記屈曲した部分に前記第２力受け部が設けられていることを特徴とする請求項１乃至１４のいずれか一項に記載のカートリッジ。
【請求項１６】
前記カートリッジが前記装置本体に装着されている状態で、前記可動部が前記第１力受け部で前記装置本体から力を受けて前記第２位置にある時、前記現像ローラは感光体と当接する当接位置にあり、前記可動部が前記第１位置にあり且つ前記第２力受け部で前記装置本体から力を受けている時、前記現像ローラは前記当接位置から前記感光体と離間した離間位置にあることを特徴とする請求項１乃至１５のいずれか一項に記載のカートリッジ。
【請求項１７】
前記可動部と前記弾性部とは一体的に形成されていることを特徴とする請求項１乃至１６のいずれか一項に記載にカートリッジ。
【請求項１８】
画像形成装置の装置本体に装着可能なカートリッジであって、
現像ローラと、
前記現像ローラを支持する枠体と、
前記枠体に対して移動可能に支持され、前記枠体に対して第１位置と第２位置とへ移動する可動部と、
前記枠体と前記可動部の間に設けられ、前記可動部を付勢する弾性部と、
前記現像ローラを回転するための回転力が入力される駆動入力部材と、
を有し、
前記枠体は、前記装置本体の内部を搬送される記録媒体に当接可能な記録媒体当接部を備え、
前記可動部は、前記第１位置から前記第２位置へ移動する方向の力を受ける力受け部を備え、
前記可動部が前記力受け部で力を受けて前記第２位置にある時、前記可動部は、前記可動部を前記第２位置から前記第１位置へ移動させる方向の付勢力を前記弾性部から受け、前記現像ローラの回転軸線方向から見た時、前記現像ローラの回転中心と前記駆動入力部材の回転中心とを結ぶ直線に平行な第１方向に関して、前記現像ローラは前記枠体の一端側に配置され、前記可動部の前記力受け部が前記枠体の他端側に配置され、
前記現像ローラの回転軸線方向から見た時、前記第１方向に関して、前記記録媒体当接部は、前記可動部の前記第１力受け部よりも前記現像ローラの近くに配置されていることを特徴とするカートリッジ。
【請求項１９】
前記枠体は前記第１位置にある前記可動部に当接する規制部を有することを特徴とする請求項１８に記載のカートリッジ。
【請求項２０】
前記可動部が前記力受け部で力を受けていない時、前記可動部は、前記弾性部から付勢力を受けて前記第１位置で前記規制部に突き当たることを特徴とする請求項１９に記載のカートリッジ。
【請求項２１】
前記可動部は、前記第２位置から前記第１位置へ移動する方向の力を受ける別の力受け部を備え、
前記カートリッジが前記装置本体に装着されている状態で、前記可動部が前記力受け部で前記装置本体から力を受けて前記第２位置にある時、前記現像ローラは感光体と当接する当接位置にあり、前記可動部が前記第１位置にあり且つ前記別の力受け部で前記装置本体から力を受けている時、前記現像ローラは前記当接位置から前記感光体と離間した離間位置にあることを特徴とする請求項１８乃至２０のいずれか一項に記載のカートリッジ。
【請求項２２】
前記可動部と前記弾性部とは一体的に形成されていることを特徴とする請求項１８乃至２１のいずれか一項に記載にカートリッジ。
【請求項２３】
画像形成装置の装置本体に装着可能なカートリッジであって、
感光体と、
現像ローラと、
前記現像ローラを支持する枠体と、
前記枠体に対して移動可能に支持され、前記枠体に対して第１位置と第２位置とへ移動する可動部と、
前記枠体と前記可動部の間に設けられ、前記可動部を付勢する弾性部と、
を有し、
前記可動部は、前記第１位置から前記第２位置へ移動する方向の力を受ける第１力受け部と、前記第２位置から前記第１位置へ移動する方向の力を受ける第２力受け部と、を備え、
前記可動部が前記第１力受け部で力を受けて前記第２位置に移動することで、前記現像ローラが前記感光体に当接し、前記可動部は、前記可動部を前記第２位置から前記第１位置へ移動させる方向の付勢力を前記弾性部から受け、
前記可動部が前記第２力受け部で力を受けて前記第１位置に移動することで、前記現像ローラが前記感光体から離間することを特徴とするカートリッジ。
【請求項２４】
前記枠体は前記第１位置にある前記可動部に当接する規制部を有することを特徴とする請求項２３に記載のカートリッジ。
【請求項２５】
前記可動部が前記第１力受け部で力を受けていない時、前記可動部は、前記弾性部から付勢力を受けて前記第１位置で前記規制部に突き当たることを特徴とする請求項２４に記載のカートリッジ。
【請求項２６】
前記現像ローラを回転するための回転力が入力される駆動入力部材を有し、
前記現像ローラの回転軸線方向から見た時、前記現像ローラの回転中心と前記駆動入力部材の回転中心とを結ぶ直線に平行な第１方向に関して、前記現像ローラは前記枠体の一端側に配置され、前記可動部の前記第１力受け部が前記枠体の他端側に配置されていることを特徴とする請求項２３乃至２５のいずれか一項に記載のカートリッジ。
【請求項２７】
前記枠体は、前記装置本体の内部を搬送される記録媒体に当接可能な記録媒体当接部を備え、前記現像ローラの回転軸線方向から見て、前記第１方向に関して、前記記録媒体当接部は、前記可動部の前記第１力受け部よりも前記現像ローラの近くに配置されていることを特徴とする請求項２６に記載のカートリッジ。
【請求項２８】
前記可動部は前記枠体に対して回動可能に支持された被支持部を備えることを特徴とする請求項２３乃至２７のいずれか一項に記載のカートリッジ。
【請求項２９】
前記現像ローラの回転軸線方向から見て、前記被支持部と前記可動部の前記弾性部からの付勢力を受ける部分との間の距離は、前記被支持部と前記第１力受け部との間の距離より短いことを特徴とする請求項２８に記載のカートリッジ。
【請求項３０】
前記枠体は現像剤を収容する現像剤収容部を有し、
前記現像ローラの回転軸線方向から見て、前記可動部の回転中心は前記現像剤収容部と重なる位置に配置されていることを特徴とする請求項２８又は２９に記載のカートリッジ。
【請求項３１】
前記枠体に対して前記可動部とは独立して移動可能に支持された別の可動部と、
前記枠体と前記別の可動部の間に設けられ、前記別の可動部を付勢する別の弾性部と、を有することを特徴とする請求項２３乃至３０のいずれか一項に記載のカートリッジ。
【請求項３２】
前記可動部は前記枠体よりも突出した第１突出部を備え、前記別の可動部は前記枠体よりも突出した第２突出部を備えることを特徴とする請求項３１に記載のカートリッジ。
【請求項３３】
前記現像ローラの回転軸線方向に沿って一端側から見ると、前記第１突出部は前記枠体から露出し、前記現像ローラの回転軸線方向に沿って他端側から見ると、前記第２突出部は前記枠体から露出することを特徴とする請求項３２に記載のカートリッジ。
【請求項３４】
前記可動部は前記回転軸線方向と直交する平面上を移動し、前記別の可動部は前記回転軸線方向と直交する別の平面上を移動することを特徴とする請求項３１乃至３３のいずれか一項に記載のカートリッジ。
【請求項３５】
前記可動部は、前記枠体よりも突出した突出部を備え、前記突出部は、前記現像ローラの側に屈曲した部分を備え、前記屈曲した部分に前記第２力受け部が設けられていることを特徴とする請求項２３乃至３４のいずれか一項に記載のカートリッジ。
【請求項３６】
前記可動部と前記弾性部とは一体的に形成されていることを特徴とする請求項２３乃至３５のいずれか一項に記載にカートリッジ。